(57)【要約】  【目的】圧縮音声ファイルのビットレートに応じた最適な高音質化処理を自動で設定し行う音声信号処理装置を提供する。  【構成】情報圧縮した圧縮音声ファイルＦをデコードした音声信号に対し、失われた高調波成分を高調波成分生成帯域幅パラメータＰ１と高調波成分付加レベルパラメータＰ２とのパラメータ値に基づいて付加する高調波成分付加処理、鈍化したピーク値をピーク成分補正レベルパラメータＰ３のパラメータ値に基づいて付加するピーク成分付加処理、失われたアタック成分をアタック成分生成帯域幅パラメータＰ４とアタック成分付加レベルパラメータＰ５とのパラメータ値に基づいて付加するアタック成分付加処理、の少なくとも１つの付加処理である高音質化処理を各パラメータＰ１〜Ｐ５のパラメータ値を予め定められている複数の段階の中から当該圧縮音声ファイルＦのビットレートに応じて選択し設定して行う自動高音質化処理手段、を備える構成。【選択図】  図１
2007079306.tif 000002
【特許請求の範囲】
【請求項１】
デジタル音声信号を情報圧縮した圧縮音声ファイルをデコードした音声信号に対し、
情報圧縮によって失われた高調波成分を調整するために高調波成分生成帯域幅パラメータと高調波成分付加レベルパラメータとの各パラメータ値に基づいて新たに生成した高調波成分を付加する高調波成分付加処理、または、情報圧縮により鈍化したピーク値を調整するためにピーク成分補正レベルパラメータのパラメータ値に基づいて新たに生成したピーク成分を付加するピーク成分付加処理、または、情報圧縮により失われたアタック成分を調整するためにアタック成分生成帯域幅パラメータとアタック成分付加レベルパラメータとの各パラメータ値に基づいて新たに生成したアタック成分を付加するアタック成分付加処理、の３つの付加処理の内の少なくとも１つの付加処理である高音質化処理を、
前記圧縮音声ファイルから検出したその圧縮音声ファイルのビットレートに応じて、前記各パラメータのパラメータ値を予め定められている複数の値の中から選択し設定して行う高音質化処理手段、を備えることを特徴とする音声信号処理装置。
【請求項２】
デジタル音声信号を情報圧縮した圧縮音声ファイルをデコードした音声信号に対し、
情報圧縮によって失われた高調波成分を調整するために高調波成分生成帯域幅パラメータと高調波成分付加レベルパラメータとの各パラメータ値に基づいて新たに生成した高調波成分を付加する高調波成分付加処理部、または、情報圧縮により鈍化したピーク値を調整するためにピーク成分補正レベルパラメータのパラメータ値に基づいて新たに生成したピーク成分を付加するピーク成分付加処理部、または、情報圧縮により失われたアタック成分を調整するためにアタック成分生成帯域幅パラメータとアタック成分付加レベルパラメータとの各パラメータ値に基づいて新たに生成したアタック成分を付加するアタック成分付加処理部、の３つの付加処理部の内の少なくとも１つの付加処理部を備えた高音質化処理部と、前記圧縮音声ファイルから検出したその圧縮音声ファイルのビットレートに応じて、
前記高音質化処理部に備える前記付加処理部の前記パラメータにおけるパラメータ値を予め定められている複数の値の中から選択し設定して前記高音質化処理部で高音質化処理を行うように制御する高音質化処理制御部と、を備えることを特徴とする音声信号処理装置。
【請求項３】
デジタル音声信号を情報圧縮した圧縮音声ファイルを入力してデコードするステップと、
上記圧縮音声ファイルのビットレートを抽出するステップと、
情報圧縮によって失われた高調波成分を調整するために高調波成分生成帯域幅パラメータと高調波成分付加レベルパラメータとの各パラメータ値に基づいて新たに生成した高調波成分を付加する高調波成分付加処理、または、情報圧縮により鈍化したピーク値を調整するためにピーク成分補正レベルパラメータのパラメータ値に基づいて新たに生成したピーク成分を付加するピーク成分付加処理、または、情報圧縮により失われたアタック成分を調整するためにアタック成分生成帯域幅パラメータとアタック成分付加レベルパラメータとの各パラメータ値に基づいて新たに生成したアタック成分を付加するアタック成分付加処理、の３つの付加処理の内の少なくとも１つの付加処理である高音質化処理について、前記圧縮音声ファイルから検出したその圧縮音声ファイルのビットレートに応じて前記各パラメータのパラメータ値を予め定められている複数の値の中から選択し設定するステップと、
設定された上記高音質化処理の各パラメータのパラメータ値に基づいて高音質化処理を行うステップと、
を備えることを特徴とする音声信号処理方法。
【発明の詳細な説明】
【技術分野】
【０００１】
本発明は、ハード・ディスク（ＨＤ）やミニ・ディスク（ＭＤ）などのデジタル記録媒体に記録された圧縮音声ファイル、或いは通信回線を介して伝送されメモリ装置に記録された圧縮音声ファイルを、復調・再生するポータブル・オーディオ・プレーヤなどのオーディオ再生装置における音声信号処理の技術分野に属する。
【背景技術】
【０００２】
ＭＰ３（ＭＰeg audio layer３）、ＷＭＡ（Ｗindows（登録商標） Ｍedia Ａudio）、ＡＡＣ（Advanced Audio Coding）、ＡＴＲＡＣ（Adaptive TRansform Acoustic Coding）
などの圧縮技術によってデジタル音声信号を情報圧縮した圧縮音声ファイルは、圧縮率を上げるためにビットレート（単位：ｂｐｓ）を低くするとその音質は一般に劣化する。即ち、高調波（高域）成分が大きく喪失し、ピーク成分が鈍り、低域、高域のアタック成分も鈍ってしまうことになる。
【０００３】
然るに、ハード・ディスク（ＨＤ）やミニ・ディスク（ＭＤ）に記録された圧縮音声ファイル、或いはインターネットなどの通信回線を介して伝送されてフラッシュＲＯＭなどのメモリ装置に記録された圧縮音声ファイルのデジタル信号を、復調（伸長）、増幅してアナログ変換し、イヤホン或いはスピーカから音声出力するオーディオ再生装置においては、圧縮によって失われた元のデジタル音声信号の高調波成分相当の付加や、圧縮によって失われたアタック音のアタック成分の付加といった高音質化処理を行っているものがある。
【０００４】
例えば、従来のポータブル・オーディオ・プレーヤでは、前記圧縮音声ファイルのビットレートに関係なく、同一の効果の度合いで高音質化処理を行うか、或いは前記高音質化処理の効果の度合いを示すパラメータのパラメータ値をユーザ側の手動（強、中、弱といった予め定まった数段階の高音質化処理の効果の度合いの選択スイッチ操作）で決定していた。
【０００５】
ところで、圧縮音声ファイルのビットレートと音質向上との関係に着目した公知文献として、例えば、下記［特許文献１］には、高能率な圧縮、伸長を行うため、周波数軸上で隣接している高低複数個のスケールファクタｓｆを参照し、このスケールファクタｓｆを基にスケールファクタ代表値ＳＦを求め、このスケールファクタ代表値ＳＦに基づいて求めたビット割当量で量子化を行う構成として、聴覚特性のマスキング効果及び／又はバンド間マスキング効果を活用した適応ビット割り当て方法で、同一のビットレートにおいては聴感上、良好な音質を得ることができ、低いビットレートでは音質劣化を防止することができるとする圧縮デジタル音声データの記録、再生、伝送の技術が提案されている。
【０００６】
【特許文献１】特開平０６−３１８８７５号公報
【発明の開示】
【発明が解決しようとする課題】
【０００７】
ＨＤ、ＭＤ、或いはフラッシュＲＯＭなどの記録媒体に記録されたデータ中に高ビットレートの圧縮音声ファイルと低ビットレートの圧縮音声ファイルが混在するような場合、或いは１つの圧縮音声ファイルにおいて途中でビットレートが変わる場合に、高音質化効果の度合いを表す各種パラメータのパラメータ値を再生の始めに手動で最適状態に変更、設定する作業はユーザにとって非常に煩わしい作業となり、また、その圧縮音声ファイルに適正な設定になったか否かは判断しずらい。
【０００８】
この点、圧縮音声ファイルのオーディオ再生装置、特にポータブル・オーディオ・プレーヤでは、デザイン、操作性が重視され、操作ボタン・スイッチ類は可及的に少なくし、且つ、各種高音質化処理の効果の度合いの設定を常に最適状態に自動設定されることが望まれる。
【０００９】
しかしながら、前記［特許文献１］に記載された圧縮データ記録、再生、伝送における適応ビット割当方法の技術は、圧縮音声ファイルの作成時の圧縮技術に関するものを基礎とするものであり、入力された既存の圧縮音声ファイルの再生出力時の高音質化処理の最適設定の自動化に関しての有益な示唆は得られない。
【００１０】
本発明は上記事情に鑑みてなされたものであり、ＨＤやＭＤ或いはフラッシュＲＯＭなどのメモリ装置に記録された圧縮音声ファイルを復調（伸長）し、再生出力するオーディオ再生装置における高音質化処理装置と高音質化処理方法を提供することを目的とする。
【課題を解決するための手段】
【００１１】
本発明は、上記課題を解決するために、
（１）  デジタル音声信号を情報圧縮した圧縮音声ファイルＦをデコードした音声信号に対し、情報圧縮によって失われた高調波成分を調整するために高調波成分生成帯域幅パラメータＰ１と高調波成分付加レベルパラメータＰ２との各パラメータ値に基づいて新たに生成した高調波成分を付加する高調波成分付加処理、または、情報圧縮により鈍化したピーク値を調整するためにピーク成分補正レベルパラメータＰ３のパラメータ値に基づいて新たに生成したピーク成分を付加するピーク成分付加処理、または、情報圧縮により失われたアタック成分を調整するためにアタック成分生成帯域幅パラメータＰ４とアタック成分付加レベルパラメータＰ５との各パラメータ値に基づいて新たに生成したアタック成分を付加するアタック成分付加処理、の３つの付加処理の内の少なくとも１つの付加処理である高音質化処理を、前記圧縮音声ファイルＦから検出したその圧縮音声ファイルのビットレート（低、中、高）に応じて、前記各パラメータＰ１〜Ｐ５のパラメータ値を予め定められている複数の値（大、中、小、無し）の中から選択し設定して行う高音質化処理手段、を備えることを特徴とする音声信号処理装置１２を提供する。
（２）  デジタル音声信号を情報圧縮した圧縮音声ファイルＦをデコードした音声信号に対し、情報圧縮によって失われた高調波成分を調整するために高調波成分生成帯域幅パラメータＰ１と高調波成分付加レベルパラメータＰ２との各パラメータ値に基づいて新たに生成した高調波成分を付加する高調波成分付加処理部２１、または、情報圧縮により鈍化したピーク値を調整するためにピーク成分補正レベルパラメータＰ３のパラメータ値に基づいて新たに生成したピーク成分を付加するピーク成分付加処理部２２、または、情報圧縮により失われたアタック成分を調整するためにアタック成分生成帯域幅パラメータＰ４とアタック成分付加レベルパラメータＰ５との各パラメータ値に基づいて新たに生成したアタック成分を付加するアタック成分付加処理部２３、の３つの付加処理部の内の少なくとも１つの付加処理部を備えた高音質化処理部と、前記圧縮音声ファイルＦから検出したその圧縮音声ファイルのビットレートに応じて、前記高音質化処理部２１、２２、２３に備えた前記付加処理部の前記パラメータＰ１〜Ｐ５におけるパラメータ値を予め定められている複数の値（大、中、小、無し）の中から選択し設定して前記高音質化処理部２１、２２、２３で高音質化処理を行うように制御する高音質化処理制御部２５と、を備えることを特徴とする音声信号処理装置１２を提供する。
（３）  デジタル音声信号を情報圧縮した圧縮音声ファイルＦを入力してデコードするステップＳ１と、上記圧縮音声ファイルＦのビットレートを抽出するステップＳ２と、情報圧縮によって失われた高調波成分を調整するために高調波成分生成帯域幅パラメータＰ１と高調波成分付加レベルパラメータＰ２との各パラメータ値に基づいて新たに生成した高調波成分を付加する高調波成分付加処理、または、情報圧縮により鈍化したピーク値を調整するためにピーク成分補正レベルパラメータＰ３のパラメータ値に基づいて新たに生成したピーク成分を付加するピーク成分付加処理、または、情報圧縮により失われたアタック成分を調整するためにアタック成分生成帯域幅パラメータＰ４とアタック成分付加レベルパラメータＰ５との各パラメータ値に基づいて新たに生成したアタック成分を付加するアタック成分付加処理、の３つの付加処理の内の少なくとも１つの付加処理である高音質化処理について、前記圧縮音声ファイルＦから検出したその圧縮音声ファイルＦのビットレート（低、中、高）に応じて前記各パラメータＰ１〜Ｐ５のパラメータ値を予め定められている複数の値大、中、小、無し）の中から選択し設定するステップＳ３と、設定された上記高音質化処理の各パラメータＰ１〜Ｐ５のパラメータ値に基づいて高音質化処理を行うステップＳ４と、を備えることを特徴とする音声信号処理方法を提供する。
【発明の効果】
【００１２】
本発明に係る音声信号処理装置及び音声信号処理方法は、上記のような構成のため、
（１）種々のビットレートで圧縮された圧縮音声ファイルに対する高音質化処理を、その効果の度合いを表すパラメータのパラメータ値をビットレートに対応させて適正な値に自動設定して行うので、種々のビットレートの圧縮音声ファイルに対してユーザのスイッチ操作の手を煩わすことなく常に適正な高音質化処理が為された音声出力が得られる。
（２）種々の圧縮音声ファイルのビットレートに応じて、適正な高音質化処理の効果の度合いを決めるパラメータのパラメータ値が自動選択されて、高調波成分付加処理またはピーク成分付加処理またはアタック成分付加処理の、３つの付加処理の内の少なくとも１つの付加処理である高音質化処理が適正に実行され、圧縮音声ファイルのビットレートに応じた高音質の音声信号が出力される。
【発明を実施するための最良の形態】
【００１３】
本発明に係る音声信号処理装置と音声信号処理方法の実施の形態について図面に基づいて説明する。
【００１４】
図１はオーディオ再生装置における本発明に係る音声信号処理装置を中心とするブロック図である。図２はオーディオ再生装置における本発明に係る音声信号処理装置の高音質化処理のブロック図である。図３は３つの高音質化処理の概要を説明するための高音質化処理前後の波形模式図である。図４は本発明に係る音声信号処理方法のフロー図である。
【００１５】
図１に示されるオーディオ再生装置２０は、ＨＤを内蔵記録媒体とするポータブル・オーディオ・プレーヤであり、圧縮音声ファイルＦが記録されたハードディスクＨＤを駆動するハードディスクドライバ１と、システムプログラムを記憶するフラッシュＲＯＭ２と、一時記憶メモリとしてのＳＤＲＡＭ３と、液晶表示装置（ＬＣＤ）４と、キー入力装置５と、ＤＡコンバータ６と、再生したアナログ音声信号の出力端子ジャック７と、圧縮音声ファイルＦを外部から入力するためのＵＳＢコネクタ８と、ＭＰ３とＷＭＡの圧縮音声ファイルＦのデコーダ１１、本発明に係る音声信号処理装置１２、サラウンド処理やイコライザ処理の音響効果処理装置１３からなるデジタル信号処理のための１チップマイコンを核とするシステムＬＳＩ１０と、その他にバッテリー１６と定電圧供給回路１７を備えるブロック構成になっている。なお、上記ブロック図は一例であり、小型化・低消費電力化のために前記フラッシュＲＯＭ２やＤＡコンバータ６は前記システムＬＳＩ１０中に集積化してもよい。
【００１６】
上記オーディオ再生装置２０における音声信号処理装置１２では、デジタル音声信号を情報圧縮した圧縮音声ファイルＦをデコードした音声信号に対し、情報圧縮によって失われた高調波成分を調整するために高調波成分生成帯域幅パラメータＰ１と高調波成分付加レベルパラメータＰ２との各パラメータ値に基づいて新たに生成した高調波成分を付加する高調波成分付加処理、または、情報圧縮により鈍化したピーク値を調整するためにピーク成分補正レベルパラメータＰ３のパラメータ値に基づいて新たに生成したピーク成分を付加するピーク成分付加処理、または、情報圧縮により失われたアタック成分を調整するためにアタック成分生成帯域幅パラメータＰ４とアタック成分付加レベルパラメータＰ５との各パラメータ値に基づいて新たに生成したアタック成分を付加するアタック成分付加処理、の３つの付加処理の内の少なくとも１つの付加処理である高音質化処理を、前記圧縮音声ファイルＦから検出したその圧縮音声ファイルのビットレート（低、中、高）に応じて前記各パラメータＰ１〜Ｐ５のパラメータ値を予め定められている複数の値（大、中、小、無し）の中から選択し設定して行う高音質化処理手段、を備えることを特徴とする構成となっている。
【００１７】
即ち、本発明に係る音声信号処理装置１２の構成を処理ブロックで表記すると、図２に示されるように、デジタル音声信号を情報圧縮した圧縮音声ファイルＦをデコードした音声信号に対し、情報圧縮によって失われた高調波成分を調整するために高調波成分生成帯域幅パラメータＰ１と高調波成分付加レベルパラメータＰ２との各パラメータ値に基づいて新たに生成した高調波成分を付加する高調波成分付加処理部２１、または、情報圧縮により鈍化したピーク値を調整するためにピーク成分補正レベルパラメータＰ３のパラメータ値に基づいて新たに生成したピーク成分を付加するピーク成分付加処理部２２、または、情報圧縮により失われたアタック成分を調整するためにアタック成分生成帯域幅パラメータＰ４とアタック成分付加レベルパラメータＰ５との各パラメータ値に基づいて新たに生成したアタック成分を付加するアタック成分付加処理部２３、の３つの付加処理の内の少なくとも１つの付加処理である高音質化処理部を備えるとともに、前記圧縮音声ファイルＦから検出したその圧縮音声ファイルのビットレートに応じて前記少なくとも１つの高音質化処理部２１、２２、２３の各パラメータＰ１〜Ｐ５のパラメータ値を予め定められてメモリ装置（ＲＯＭなど）２６に記録されている複数の値（大、中、小、無し）の中から選択し設定して前記高音質化処理部２１、２２、２３で高音質化処理を行うように制御するマイクロコンピュータのＣＰＵを主体とする高音質化処理制御部２５と、を備えることを特徴とする。
【００１８】
下記［表１］は、前記デコーダ１１で検出される前記圧縮音声ファイルＦのビットレートに応じて３つの高音質化処理（高調波成分付加処理、ピーク成分付加処理、アタック成分付加処理）の効果の度合いを変えたパラメータの組み合わせ表である。◎は効果の度合いが最も大きいパラメータ値の設定であり、○は効果の度合いが中程度のパラメータ値の設定であり、△は効果の度合いが小さいパラメータ値の設定であり、×は高音質化処理をしない（付与なし）設定である。また、表中の低ビットレート（圧縮率大）は、例えばＭＰ３で８〜９６ｋｂｐｓ、ＷＭＡで４８ｋｂｐｓの場合に相当し、中ビットレート（圧縮率中）はＭＰ３で１１２〜１９２ｋｂｐｓ、ＷＭＡで６４、９６、１２８ｋｂｐｓの場合に相当し、高ビットレート（圧縮率小）はＭＰ３で２２４〜３２０ｋｂｐｓ、ＷＭＡで１６０、１９２ｋｂｐｓに相当するように設定されており、ビットレートに応じて３段階に夫々の高音質化処理の効果の度合いを分けている。
【００１９】
【表１】
2007079306.tif 000003
本発明の音声信号処理装置１２では、前記デコーダ１１で検出された圧縮音声ファイルのビットレートに応じた高音質化処理の最適設定の自動化を実現するために、［表１］から判るように、圧縮率の高い低ビットレートの場合は、情報圧縮による高域成分、アタック成分の劣化（喪失）の程度が大きいので、擬似的・人工的な所為であるものの、より大きな補充・補正、即ち大きな高音質化処理の効果を与える設定になっており、逆に圧縮率の低い高ビットレートの場合は、情報圧縮による音声劣化の程度が小さいので、敢えて高音質化の処理は抑え目（若しくは処理無し）にして、より自然な音質を生かす設定になっているのである。
【００２０】
下記［表２］は高音質化処理の１つである高調波成分付加処理の高調波成分生成帯域幅パラメータＰ１と高調波成分付加レベルパラメータＰ２のパラメータ値の設定の組み合わせ表である。
【００２１】
【表２】
2007079306.tif 000004
上記高調波成分付加処理は、図４の（ａ）の波形模式図に示されるように、元のデジタル音声信号の波形Ａ（図では矩形波）を情報圧縮すると、その高調波成分の波形が鈍って圧縮波形Ｂのようになるが、この圧縮波形Ｂのデコードされた或る１点のデータとその前後数点のデコードされたデータの変化を順次比較して所定のアルゴリズムに基づいて鈍化した部分のレベルを持ち上げる（付加する）デジタル信号処理を行い、元の波形Ａに近似する波形Ｃを作る高音質化処理である。この効果の度合いを決めるのが上記高調波成分生成帯域幅パラメータＰ１（対象とする高調波成分の生成帯域幅を決めるものであり、広いほど効果の度合いは大きくなる。）と高調波成分付加レベルパラメータＰ２（どの程度レベルを持ち上げるかを決めるパラメータであり、大きいほど効果の度合いは大きくなる。）である。
【００２２】
次に、［表３］は高音質化処理の１つであるピーク成分付加処理のピーク成分補正レベルパラメータＰ３のパラメータ値の設定表である。
【００２３】
【表３】
2007079306.tif 000005
上記ピーク成分付加処理は、図４の（ｂ）のサンプリングデータ波形模式図に示されるように、元のデジタル音声信号のサンプリング波形Ａを情報圧縮すると、そのピーク成分が鈍ってサンプリング波形Ｂのようになるが、このサンプリング波形Ｂのピーク値のデータのレベルを所定のアルゴリズムに基づいて（例えばピーク成分を抽出してその尖鋭度を測り、それに応じてレベルを所定割合で）持ち上げる（付加する）デジタル信号処理を行い、元のピーク値に近似するピーク値のサンプリング波形Ｃを作る高音質化処理である。この効果の度合いを決めるのが上記ピーク成分補正レベルパラメータＰ３（どの程度ピーク値のレベルを持ち上げるかを決めるパラメータであり、大きいほど効果の度合いは大きくなる。）である。
【００２４】
次に、［表４］は高音質化処理の１つであるアタック成分付加処理のアタック成分生成帯域幅パラメータＰ４とアタック成分付加レベルパラメータＰ５のパラメータ値の設定組み合わせ表である。
【００２５】
【表４】
2007079306.tif 000006
上記アタック成分付加処理は、図４の（ｃ）の波形模式図に示されるように、元のデジタル音声信号の波形Ａを情報圧縮すると、そのアタック成分の波形が鈍って圧縮波形Ｂのようになるが、この圧縮波形Ｂのアタック成分を抽出し、抽出されたアタック成分のレベルと基準レベルとを所定のアルゴリズムで比較してレベルを持ち上げる（付加する）デジタル信号処理を行い、元の波形Ａに近似する波形Ｃを作る高音質化処理である。この効果の度合いを決めるのが上記アタック成分生成帯域幅パラメータＰ４（対象とするアタック成分の生成帯域幅を決めるものであり、広いほど効果の度合いは大きくなる。例えば、◎では〜３００Ｈｚと１ｋＨｚ〜とし、○では〜２００Ｈｚと１．５ｋＨｚ〜とする。）とアタック成分付加レベルパラメータＰ５（どの程度アタック成分のレベルを持ち上げるかを決めるパラメータであり、大きいほど効果の度合いは大きくなる。）である。
【００２６】
なお、本発明に係る音声信号処理装置１２では、以上の３つの高音質化処理のうち少なくとも１つが実施されればよいが、勿論、［表１］のように複数の高音質化処理が組み合わさって総合的に処理されるのが望ましい。
【００２７】
次に、図１に記載されたオーディオ再生装置２０の音声信号処理装置１２における圧縮音声ファイルＦの高音質化処理を中心とする音声信号処理方法は、以下のようなステップＳ１からステップＳ６のフローの中で行われる。特に、本発明に特徴的な処理はステップＳ３とステップＳ４である。
【００２８】
ステップＳ１：図１において、デジタル音声信号をＭＰ３或いはＷＭＡにて情報圧縮した圧縮音声ファイルＦが記録されたＨＤをＨＤＤ１で駆動して前記圧縮音声ファイルＦを読み出し、前記システムＬＳＩ１０に入力して前記ＭＰ３／ＷＭＡデコーダ１１にてデコードする処理を行う。
【００２９】
ステップＳ２：前記圧縮音声ファイルＦのビットレートを抽出する処理を行う。これは、前記ＭＰ３／ＷＭＡデコーダ１１でのデータ解析で判る。
【００３０】
ステップＳ３：情報圧縮によって失われた高調波成分相当を高調波成分生成帯域幅パラメータＰ１と高調波成分付加レベルパラメータＰ２の各パラメータ値に基づいて付加する高調波成分付加処理、または情報圧縮により鈍化したピーク値をピーク成分補正レベルパラメータＰ３のパラメータ値に基づいて補正するピーク成分付加処理、または情報圧縮により失われたアタック成分をアタック成分生成帯域幅パラメータＰ４とアタック成分付加レベルパラメータＰ５の各パラメータ値に基づいて付加するアタック成分付加処理、の３つの付加処理の内の少なくとも１つの付加処理である高音質化処理について、上記各パラメータＰ１〜Ｐ５のパラメータ値を予め定めた複数の段階（大、中、小、無し）の中から前記圧縮音声ファイルＦのビットレート（低、中、高）に応じて自動設定する処理を行う。これは、前述の［表１］〜［表４］に記載された組み合わせを、予めシステムＬＳＩ１０中の図示されないメモリ或いは前記フラッシュＲＯＭ２に記録しておき、ステップＳ２で得た圧縮音声ファイルＦのビットレートを対照して各パラメータＰ１〜Ｐ５の値が選択されるようにマイコンのプログラムでアルゴリズムを定めておく。
【００３１】
ステップＳ４：選択、設定された上記高音質化処理の各パラメータＰ１〜Ｐ５のパラメータ値に基づいて夫々の高音質化処理を前記音声信号処理装置１２にて行う。結果として［表１］のように圧縮音声ファイルＦのビットレートに応じた適正な高音質化処理がなされることになる。
【００３２】
図４のフロー図では、以上ステップＳ４までの本発明に係る高音質化処理方法に加えて、以下の公知のオーディオ信号処理のステップＳ５、Ｓ６が実行されている。
【００３３】
ステップＳ５：従来と同様の基本的なアナログ変換処理である高音質化処理された圧縮音声ファイルＦ´のデジタル音声信号をＤＡ変換する。前段のデジタルアンプ（Ｄ級増幅器）によるデジタル増幅処理もこれに含まれる。
【００３４】
ステップＳ６：ＤＡ変換されたアナログ音声信号ｏｕｔを出力する。これには、ステレオスピーカ出力端子への出力或いはイヤホンジャックへの出力が含まれる。
【００３５】
以上のように、本発明の図１中の音声信号処理装置１２と図４のフロー図に示される音声信号処理方法は、ＭＰ３やＷＭＡなど（圧縮方式はこれらに限定されない。）の圧縮音声ファイルＦの種々のビットレート（例えば上記実施の形態のような、低、中、高の３レベル）に応じて、高音質化処理の効果の度合いを数段階（◎＝「より臨場感を」、○＝「標準」、△＝「より自然に」など）の中から自動設定して高音質化処理を実行するのであり、言わば「アクティブ高音質化処理方式」と呼ぶべき音声信号処理の形態となっていて、特に、ポータブル・オーディオ・プレーヤとして非常に優れた取り扱いの簡便さと安定した音質の向上が図られているのである。
【図面の簡単な説明】
【００３６】
【図１】オーディオ再生装置における本発明に係る音声信号処理装置を中心とするブロック図である。
【図２】オーディオ再生装置における本発明に係る音声信号処理装置の高音質化処理のブロック図である。
【図３】本発明に係る３つの高音質化処理の概要を説明するための高音質化処理前後の波形模式図である。
【図４】本発明に係る音声信号処理方法のフロー図である。
【符号の説明】
【００３７】
１    ハードディスクドライバ
２    フラッシュＲＯＭ
３    ＳＤＲＡＭ
４    液晶表示装置（ＬＣＤ）
５    キー入力装置
６    ＤＡコンバータ
７    出力端子ジャック
８    ＵＳＢコネクタ
１０    システムＬＳＩ
１１    ＭＰ３／ＷＭＡデコーダ
１２    音声信号処理装置
１３    音響効果処理装置
２０    オーディオ再生装置
２１    高調波成分付加処理部
２２    ピーク成分付加処理部
２３    アタック成分付加処理部
２５    高音質化処理制御部
２６    メモリ装置
Ｆ    圧縮音声ファイル
Ｆ´  高音質化処理された圧縮音声ファイル
Ｐ１    高調波成分生成帯域幅パラメータ
Ｐ２    高調波成分付加レベルパラメータ
Ｐ３    ピーク成分補正レベルパラメータ
Ｐ４    アタック成分生成帯域幅パラメータ
Ｐ５    アタック成分付加レベルパラメータ
【図１】
2007079306.tif 000007
【図２】
2007079306.tif 000008
【図３】
2007079306.tif 000009
【図４】
2007079306.tif 000010